(57)【要約】【課題】ＮＣプログラムの編集なしに、自動結線装置を備えたワイヤカット放電加工機用に作成されたＮＣプログラムを自動結線装置を備えていないワイヤカット放電加工機で使用できるようにすること。【解決手段】ＮＣプログラム中にワイヤ電極を切断するまたはワイヤ電極を挿通結線するＮＣコードがあったときにＮＣプログラムの実行を一時中断させる。同時に、表示装置の画面上に一時中断を表示させる。そして、手作業によってワイヤ電極を切断するまたはワイヤ電極を挿通結線する作業を行なう。作業終了後にＮＣプログラムの一時中断した次の箇所からＮＣプログラムの実行を再開させる。【選択図】図１
2008000846.tif 000002
【特許請求の範囲】
【請求項１】
自動結線装置を備えていないワイヤカット放電加工機で自動結線装置を備えたワイヤカット放電加工機用のＮＣプログラムを実行させＮＣプログラムに従って各装置に所要の動作をさせるワイヤカット放電加工方法において、前記ＮＣプログラム中にワイヤ電極を切断するまたはワイヤ電極を挿通結線するＮＣコードがあったときに前記ＮＣプログラムの実行を一時中断させる工程と、表示装置の画面上に一時中断を表示させる工程と、手作業によってワイヤ電極を切断するまたはワイヤ電極を挿通結線する作業を行なう工程と、ＮＣプログラムの一時中断した次の箇所からＮＣプログラムの実行を再開させる工程と、を有するワイヤカット放電加工方法。
【発明の詳細な説明】
【技術分野】
【０００１】
本発明は、自動結線装置を備えていないワイヤカット放電加工機におけるワイヤカット放電加工方法に関する。特に、自動結線装置を備えたワイヤカット放電加工機で有効なＮＣプログラムを自動結線装置を備えていないワイヤカット放電加工機で実行するワイヤカット放電加工方法に関する。
【背景技術】
【０００２】
数値制御ワイヤカット放電加工機は、予め作成されたＮＣプログラムを解読し、解読された順番にＮＣプログラムを実行しワイヤカット放電加工を行なう。ＮＣプログラムには、ＮＣコードが含まれており、ＮＣコードの命令に従い移動制御装置、加工液制御装置、加工電源装置のような各装置に所要の動作をさせる。
【０００３】
ところで、ワイヤカット放電加工では、被加工物を挟んで設けられる一対のワイヤガイド間にワイヤ電極を張架する必要がある。例えば、不慮のワイヤ電極の断線のときにワイヤ電極の断線した先端部位を切断して結線し張架させる。あるいは予め決まった箇所でワイヤ電極を一旦切断して別の加工開始孔にワイヤ電極を挿通して結線し張架させる。ワイヤカット放電加工機の中には、自動的にワイヤ電極を切断したりワイヤ電極を挿通結線する自動結線装置を備えているものがある。
【０００４】
決まった箇所で自動結線装置を使用してワイヤ電極を切断して挿通結線させる場合は、予めＮＣプログラム中にワイヤ電極を切断させるＮＣコードとワイヤ電極を挿通結線させるＮＣコードをプログラムしておく必要がある（特許文献１参照）。一方、自動結線装置を備えていないワイヤカット放電加工機では、決まった箇所でワイヤ電極を切断して挿通結線させる場合は、予めＮＣプログラム中の決まった箇所にＮＣプログラムの実行を一時停止するＮＣコードを挿入させておく必要がある。
【０００５】
同じ加工を行なう場合、自動結線装置を動作させる以外は、自動結線装置を備えたワイヤカット放電加工機用のＮＣプログラムと自動結線装置を備えていないワイヤカット放電加工機用のＮＣプログラムは同じであるから、それぞれのワイヤカット放電加工機ごとにＮＣプログラムを作成することは手間である。
【０００６】
【特許文献１】特許第３５７１０９３号公報
【発明の開示】
【発明が解決しようとする課題】
【０００７】
しかしながら、自動結線装置を備えたワイヤカット放電加工機用に作成されたＮＣプログラムを自動結線装置を備えていないワイヤカット放電加工機で実行させようとした場合、ＮＣプログラム中にワイヤ電極を切断するＮＣコードやワイヤ電極を挿通結線するＮＣコードが存在すると自動結線装置がないために実行することができないから、無視して次のＮＣコードを実行するように構成されている。
【０００８】
ワイヤ電極を切断したり挿通結線したりするＮＣコードが実行されずに次のＮＣコードを実行しようとすると、不具合が発生する。例えば、ある加工箇所でワイヤ電極が切断されずに次の加工箇所に移行しそこで加工をしようとすると加工が不能に陥る。
【０００９】
したがって、自動結線装置を備えたワイヤカット放電加工機用に作成されたＮＣプログラムを自動結線装置を備えていないワイヤカット放電加工機で実行させようとした場合、自動結線装置を備えたワイヤカット放電加工機用に作成されたＮＣプログラムのワイヤ電極を切断するＮＣコードやワイヤ電極を挿通結線するＮＣコードの前後にＮＣプログラムの実行を一時中断するＮＣコードを追加挿入するなどＮＣプログラムを書き換える必要がある。
【００１０】
多数個取り加工のようにワイヤ電極の切断とワイヤ電極の挿通結線を行なう箇所が多数ある場合は、ＮＣプログラムの編集に多大な手間と時間を要する。その上、このＮＣプログラムを再び自動結線装置を備えたワイヤカット放電加工機で実行させようとすると、ＮＣプログラムの実行を一時中断するＮＣコードを取り除かなければならない。
【００１１】
本発明は、上記事情に鑑み、ＮＣプログラムの編集なしに、自動結線装置を備えたワイヤカット放電加工機用に作成されたＮＣプログラムを自動結線装置を備えていないワイヤカット放電加工機で使用できるようにすることを目的とする。
【課題を解決するための手段】
【００１２】
本発明のワイヤカット放電加工方法は、自動結線装置を備えていないワイヤカット放電加工機で自動結線装置を備えたワイヤカット放電加工機用のＮＣプログラムを実行させＮＣプログラムに従って各装置に所要の動作をさせるワイヤカット放電加工方法において、前記ＮＣプログラム中にワイヤ電極を切断するまたはワイヤ電極を挿通結線するＮＣコードがあったときに前記ＮＣプログラムの実行を一時中断させる工程と、表示装置の画面上に一時中断を表示させる工程と、手作業によってワイヤ電極を切断するまたはワイヤ電極を挿通結線する作業を行なう工程と、ＮＣプログラムの一時中断した次の箇所からＮＣプログラムの実行を再開させる工程と、を有する。
【発明の効果】
【００１３】
自動結線装置を備えていないワイヤカット放電加工機でワイヤ電極を切断したりワイヤ電極を挿通結線したりするＮＣコードがあった場合には自動的に一時中断させ、手作業で結線作業を行なった後にＮＣプログラムの一時中断した次の箇所からＮＣプログラムの実行を再開させるので、自動結線装置を備えたワイヤカット放電加工機用に作成されたＮＣプログラムであっても自動結線装置を備えていないワイヤカット放電加工機で加工することができる。その結果、自動結線装置を備えたワイヤカット放電加工機用に作成されたＮＣプログラムを自動結線装置を備えていないワイヤカット放電加工機に使用することができ、ＮＣプログラムの作成の手間を減らし、作業効率を向上させる効果を奏する。
【発明を実施するための最良の形態】
【００１４】
図１は、本発明のワイヤカット放電加工方法を示すフローチャートである。図２は、本発明のワイヤカット放電加工方法を実施する装置を示すブロック図である。以下、図１のフローチャートを用いて本発明のワイヤカット放電加工方法を説明する。
【００１５】
作業前に、設定手段１を用いて自動結線装置を備えていないワイヤカット放電加工機においてＮＣコードにワイヤ電極の切断（Ｔ９０）とワイヤ電極の挿通結線（Ｔ９１）があった場合に、一時中断する設定をオンにする（Ｓ１）。設定手段１は、具体的には、キーボードやディスプレイに設けられたタッチパネルのような入力装置と設定値を記憶する記憶装置を含んでなる。
【００１６】
ＮＣプログラムの実行を開始させると、演算装置の解読手段２は、ＮＣプログラムを順に解読する（Ｓ２）。そして、実行手段３は、解読された順番にＮＣデータに基づいてＮＣプログラムを実行し、移動制御装置、加工液制御装置、加工電源装置のような各装置４に所要の動作をさせる（Ｓ４）。
【００１７】
設定手段１によって一時中断する設定がオンになっているときは、中断手段５は、実行手段３が実行しようとするＮＣコードをチェックする。そして、ＮＣコードに「Ｔ９０」（ワイヤ電極の切断）または「Ｔ９１」（ワイヤ電極の挿通結線）があった場合は（Ｓ３）、ＮＣプログラムの実行を中断する（Ｓ５）。同時に、中断手段５は、中断のメッセージを表示装置６に表示させるとともに、ＮＣプログラムの一時中断と再開を行なう「ＨＡＬＴ」キーをオンの状態にする（Ｓ６）。
【００１８】
このことによって、ＮＣプログラム中に一時停止のＮＣコードがなくてもＮＣプログラムの解読と実行の再開が可能な状態でＮＣプログラムの実行を一時中断することができる。また、作業者は、中断のメッセージが表示されることによって、ワイヤ電極の切断ないしワイヤ電極の挿通結線においてＮＣプログラムの実行が一時中断していることを認識することができ、ワイヤ電極の切断ないしワイヤ電極の挿通結線の作業を行なうことができる。なお、実施の形態では、ＮＣプログラムの実行を中断するとともに次のＮＣプログラムの解読を中断するようにしている。
【００１９】
ＮＣコードに「Ｔ９０」または「Ｔ９１」が存在し、ＮＣプログラムの実行を一時中断したときは、作業者がワイヤ電極を切断する作業を行なう。または、ワイヤ電極を下穴に通してワイヤ電極を結線させる作業を行なう（Ｓ７）。
【００２０】
ワイヤ電極の切断またはワイヤ電極の挿通結線の作業が終了したら、作業者は再開手段７によってＮＣプログラムの実行を再スタートさせる（Ｓ８）。具体的には、「ＨＡＬＴ」キーを押圧することによってＮＣプログラムの実行を再開させる。このとき、ＮＣプログラムの一時中断した「Ｔ９０」または「Ｔ９１」の次のブロックからＮＣプログラムの実行を再開させる。そして、ステップＳ３からステップＳ７までの作業をＮＣプログラムが終了するまで繰返し行なう（Ｓ９）。
【００２１】
本発明は、自動結線装置を備えていないワイヤカット放電加工機に関わらず、パレットチェンジャなど自動で作業を行なう装置を備えていないワイヤカット放電加工機に応用することができる。
【産業上の利用可能性】
【００２２】
本発明は、ワイヤカット放電加工に利用される。本発明のワイヤカット放電加工方法は、作業効率を向上させる効果を奏し、ワイヤカット放電加工の発展に寄与する。
【図面の簡単な説明】
【００２３】
【図１】本発明のワイヤカット放電加工方法を示すフローチャートである。
【図２】本発明のワイヤカット放電加工方法を実施する装置を示すブロック図である。
【符号の説明】
【００２４】
１  設定手段
２  解読手段
３  実行手段
４  各装置
５  中断手段
６  表示装置
７  再開手段
【図１】
2008000846.tif 000003
【図２】
2008000846.tif 000004